(57)【特許請求の範囲】
【請求項１】
周波数空間ブロック符号化方式を用いて送信されたデータ信号及び制御信号を受信するように構成されている受信器であって、
前記データ信号に基づいて共分散行列を推定するように構成されている共分散行列推定部と、
推定された前記共分散行列に対して所定処理を施すように構成されている共分散行列生成部と、
前記所定処理が施された前記共分散行列及び前記制御信号を用いて受信ウェイトを生成するように構成されている受信ウェイト生成部と、
生成された前記受信ウェイト及び前記制御信号を用いて受信信号から前記データ信号を分離するように構成されている信号分離部とを具備し、
前記データ信号は、２つのリソースエレメントからなる周波数空間ブロック符号化方式単位で送信されるように構成されており、
推定された前記共分散行列は、前記周波数空間ブロック符号化方式単位内の偶数番目のリソースエレメントにおける所望信号成分からなる第１共分散行列及び該周波数空間ブロック符号化方式単位内の奇数番目のリソースエレメントにおける所望信号成分からなる第２共分散行列を含むように構成されており、
前記共分散行列生成部は、前記所定処理として、前記第１共分散行列内の要素及び前記第２共分散行列内の要素の各々に対する平均化処理を行うように構成されていることを特徴とする受信器。
【請求項２】
周波数空間ブロック符号化方式を用いて送信されたデータ信号及び制御信号を受信するように構成されている受信器であって、
前記データ信号に基づいて共分散行列を推定するように構成されている共分散行列推定部と、
推定された前記共分散行列に対して所定処理を施すように構成されている共分散行列生成部と、
前記所定処理が施された前記共分散行列及び前記制御信号を用いて受信ウェイトを生成するように構成されている受信ウェイト生成部と、
生成された前記受信ウェイト及び前記制御信号を用いて受信信号から前記データ信号を分離するように構成されている信号分離部とを具備し、
前記共分散行列生成部は、前記所定処理として、推定された前記共分散行列内でチャネル変動を無視した際に理論上「０」となる要素に対して「０」を挿入する処理を施すように構成されていることを特徴とする受信器。
【請求項３】
周波数空間ブロック符号化方式を用いて送信されたデータ信号及び制御信号を受信するように構成されている受信器であって、
前記データ信号に基づいて共分散行列を推定するように構成されている共分散行列推定部と、
推定された前記共分散行列に対して所定処理を施すように構成されている共分散行列生成部と、
前記所定処理が施された前記共分散行列及び前記制御信号を用いて受信ウェイトを生成するように構成されている受信ウェイト生成部と、
生成された前記受信ウェイト及び前記制御信号を用いて受信信号から前記データ信号を分離するように構成されている信号分離部とを具備し、
前記共分散行列生成部は、前記所定処理として、推定された前記共分散行列内でチャネル変動を無視した際に理論上１つのパラメータで表される要素同士で平均化処理を行うように構成されていることを特徴とする受信器。
【請求項４】
周波数空間ブロック符号化方式を用いて送信されたデータ信号及び制御信号を受信するように構成されている受信器であって、
前記データ信号に基づいて共分散行列を推定するように構成されている共分散行列推定部と、
推定された前記共分散行列に対して所定処理を施すように構成されている共分散行列生成部と、
前記所定処理が施された前記共分散行列及び前記制御信号を用いて受信ウェイトを生成するように構成されている受信ウェイト生成部と、
生成された前記受信ウェイト及び前記制御信号を用いて受信信号から前記データ信号を分離するように構成されている信号分離部とを具備し、
前記共分散行列生成部は、前記所定処理として、推定された前記共分散行列内でチャネル変動を無視した際に理論上１つのパラメータで表される要素に対して「０」を挿入する処理を施すように構成されていることを特徴とする受信器。
【発明の詳細な説明】
【技術分野】
【０００１】
本発明は、受信器に関する。
【背景技術】
【０００２】
ＬＴＥ（Ｌｏｎｇ  Ｔｅｒｍ  Ｅｖｏｌｕｔｉｏｎ）方式において、下りリンクにおいて、セル端スループットの改善方法の１つとして、干渉となる他の移動局ＵＥのビームを抑圧するＩＲＣ（Ｉｎｔｅｒｆｅｒｅｎｃｅ  Ｒｅｊｅｃｔｉｏｎ  Ｃｏｍｂｉｎｉｎｇ）受信器の検討が行われている。
【０００３】
図７（ａ）に示すように、ＩＲＣ受信器１０は、干渉信号を抑圧しながら、所望信号の受信品質を向上させることを目的としている。
【０００４】
また、ＬＴＥ（Ｒｅｌｅａｓｅ-８）方式では、チャネル状態（ＣＳＩ：Ｃｈａｎｎｅｌ  Ｓｔａｔｅ  Ｉｎｆｏｒｍａｔｉｏｎ）の推定や、データ信号及び制御信号の復調や、セルにおける受信品質の測定を行うために、ＣＲＳ（Ｃｅｌｌ-Ｓｐｅｃｉｆｉｃ  Ｒｅｆｅｒｅｎｃｅ  Ｓｉｇｎａｌ）が送信されるように構成されている。
【０００５】
具体的には、ＬＴＥ（Ｒｅｌｅａｓｅ-８）方式では、ＣＲＳは、図７（ｂ）に示す構成によって、データ信号や制御信号と共に送信されるように構成されている。なお、最大４アンテナまで、ＣＲＳを設定することができる。
【０００６】
また、ＬＴＥ方式では、送信ダイバーシチ方式として、ＳＦＢＣ（Ｓｐａｃｅ  Ｆｒｅｑｕｅｎｃｙ  Ｂｌｏｃｋ  Ｃｏｄｉｎｇ、周波数空間ブロック符号化）方式が用いられるように構成されている。
【０００７】
ここで、シンボルレベルで最大比合成相当の最大のダイバーシチ利得を得ることができる「Ａｌａｍｏｕｔｉ符号化」を用いるように構成されている。すなわち、周波数方向における２つのリソースエレメント（ＲＥ：Ｒｅｓｏｕｒｃｅ  Ｅｌｅｍｅｎｔ）を用いて符号化を行うように構成されている。本明細書では、かかる２つのリソースエレメントを「ＳＦＢＣペア」と呼ぶ。
【０００８】
以下、図８に示すように、ＩＲＣ受信器１０が、セル１（ｑ＝１）から所望信号を受信し、セル２（ｑ＝２）から干渉信号を受信するケースにおいて、チャネル変動を無視した場合のＩＲＣ受信器１０における受信信号モデルについて説明する。
【０００９】
具体的には、図９（ａ）〜図９（ｃ）に示す式によって、ＩＲＣ受信器１０の受信アンテナ１（ｉ＝１）におけるＳＦＢＣペアｍの偶数番目のリソースエレメントにおける受信信号ｒ１（２ｍ）、ＩＲＣ受信器１０の受信アンテナ２（ｉ＝２）におけるＳＦＢＣペアｍの偶数番目のリソースエレメントにおける受信信号ｒ２（２ｍ）、ＩＲＣ受信器１０の受信アンテナ１（ｉ＝１）におけるＳＦＢＣペアｍの奇数番目のリソースエレメントにおける受信信号ｒ１＊（２ｍ＋１）、及び、ＩＲＣ受信器１０の受信アンテナ２（ｉ＝２）におけるＳＦＢＣペアｍの奇数番目のリソースエレメントにおける受信信号ｒ２＊（２ｍ＋１）を表すことができる。ここで、「＊」は、複素共役を表す。
【００１０】
また、従来、干渉を抑圧するために、ＭＭＳＥ（Ｍｉｎｉｍｕｍ  Ｍｅａｎ  Ｓｑｕａｒｅ  Ｅｒｒｏｒ）空間フィルタリング方式を用いて受信処理を行う技術が知られている。
【００１１】
かかる技術では、図１０（ａ）に示すように、ＩＲＣ受信ウェイトＷＩＲＣ（ｋ，ｌ）を生成するように構成されている。ここで、ＩＲＣ受信ウェイトＷＩＲＣ（ｋ，ｌ）を生成する際には、図１０（ｂ）に示すデータ信号（ＰＤＳＣＨ）に基づく共分散行列ＲＩ＋Ｎの推定法が用いられる（非特許文献１参照）。
【先行技術文献】
【非特許文献】
【００１２】
【非特許文献１】３ＧＰＰ寄書Ｒ４-１１５２１３
【発明の概要】
【発明が解決しようとする課題】
【００１３】
すなわち、かかる技術では、図１１に示すように、ＩＲＣ受信器１０は、サービングセル（セル１）において受信したデータ信号に基づいて、共分散行列ＲＩ＋Ｎを生成するように構成されている。
【００１４】
具体的には、ＩＲＣ受信器１０は、干渉セル＃１/＃２において送信されているＣＲＳによる干渉の影響を除くために、かかるＣＲＳが送信されていないＯＦＤＭシンボルにおけるデータ信号のみを平均化することが想定される。
【００１５】
また、ＩＲＣ受信器１０は、ＳＦＢＣペアの偶数番目のリソースエレメント及びＳＦＢＣペアの奇数番目のリソースエレメントを分離して平均化することによって、共分散行列ＲＩ＋Ｎを生成することが想定されている。
【００１６】
ここで、かかる技術では、ＳＦＢＣペアの偶数番目のリソースエレメント及びＳＦＢＣペアの奇数番目のリソースエレメントを分離して平均化することが想定されるため、平均化処理に用いられるサンプル数が少なくなってしまい、共分散行列ＲＩ＋Ｎの推定精度が劣化し、正確なＩＲＣ受信ウェイトを生成することができず、ＩＲＣ受信器１０における干渉抑圧精度が劣化してしまうという問題点があった。
【００１７】
そこで、本発明は、上述の課題に鑑みてなされたものであり、データ信号に基づく共分散行列ＲＩ＋Ｎの推定精度を向上させることができる受信器を提供することを目的とする。
【課題を解決するための手段】
【００１８】
本発明の第１の特徴は、周波数空間ブロック符号化方式を用いて送信されたデータ信号及び制御信号を受信するように構成されている受信器であって、前記データ信号に基づいて共分散行列を推定するように構成されている共分散行列推定部と、推定された前記共分散行列に対して所定処理を施すように構成されている共分散行列生成部と、前記所定処理が施された前記共分散行列及び前記制御信号を用いて受信ウェイトを生成するように構成されている受信ウェイト生成部と、生成された前記受信ウェイト及び前記制御信号を用いて受信信号から前記データ信号を分離するように構成されている信号分離部とを具備し、前記データ信号は、２つのリソースエレメントからなる周波数空間ブロック符号化方式単位で送信されるように構成されており、推定された前記共分散行列は、前記周波数空間ブロック符号化方式単位内の偶数番目のリソースエレメントにおける所望信号成分からなる第１共分散行列及び該周波数空間ブロック符号化方式単位内の奇数番目のリソースエレメントにおける所望信号成分からなる第２共分散行列を含むように構成されており、前記共分散行列生成部は、前記所定処理として、前記第１共分散行列内の要素及び前記第２共分散行列内の要素の各々に対する平均化処理を行うように構成されていることを要旨とする。
【００１９】
本発明の第２の特徴は、周波数空間ブロック符号化方式を用いて送信されたデータ信号及び制御信号を受信するように構成されている受信器であって、前記データ信号に基づいて共分散行列を推定するように構成されている共分散行列推定部と、推定された前記共分散行列に対して所定処理を施すように構成されている共分散行列生成部と、前記所定処理が施された前記共分散行列及び前記制御信号を用いて受信ウェイトを生成するように構成されている受信ウェイト生成部と、生成された前記受信ウェイト及び前記制御信号を用いて受信信号から前記データ信号を分離するように構成されている信号分離部とを具備し、前記共分散行列生成部は、前記所定処理として、推定された前記共分散行列内でチャネル変動を無視した際に理論上「０」となる要素に対して「０」を挿入する処理を施すように構成されていることを要旨とする。
【００２０】
本発明の第３の特徴は、周波数空間ブロック符号化方式を用いて送信されたデータ信号及び制御信号を受信するように構成されている受信器であって、前記データ信号に基づいて共分散行列を推定するように構成されている共分散行列推定部と、推定された前記共分散行列に対して所定処理を施すように構成されている共分散行列生成部と、前記所定処理が施された前記共分散行列及び前記制御信号を用いて受信ウェイトを生成するように構成されている受信ウェイト生成部と、生成された前記受信ウェイト及び前記制御信号を用いて受信信号から前記データ信号を分離するように構成されている信号分離部とを具備し、前記共分散行列生成部は、前記所定処理として、推定された前記共分散行列内でチャネル変動を無視した際に理論上１つのパラメータで表される要素同士で平均化処理を行うように構成されていることを要旨とする。
【００２１】
本発明の第４の特徴は、周波数空間ブロック符号化方式を用いて送信されたデータ信号及び制御信号を受信するように構成されている受信器であって、前記データ信号に基づいて共分散行列を推定するように構成されている共分散行列推定部と、推定された前記共分散行列に対して所定処理を施すように構成されている共分散行列生成部と、前記所定処理が施された前記共分散行列及び前記制御信号を用いて受信ウェイトを生成するように構成されている受信ウェイト生成部と、生成された前記受信ウェイト及び前記制御信号を用いて受信信号から前記データ信号を分離するように構成されている信号分離部とを具備し、前記共分散行列生成部は、前記所定処理として、推定された前記共分散行列内でチャネル変動を無視した際に理論上１つのパラメータで表される要素に対して「０」を挿入する処理を施すように構成されていることを要旨とする。
【発明の効果】
【００２２】
以上説明したように、本発明によれば、データ信号に基づく共分散行列ＲＩ＋Ｎの推定精度を向上させることができる受信器を提供することができる。
【図面の簡単な説明】
【００２３】
【図１】本発明の第１の実施形態に係るＩＲＣ受信器の機能ブロック図である。
【図２】本発明の第１の実施形態に係るＩＲＣ受信器における共分散行列の算出方法を説明するための図である。
【図３】本発明の第１の実施形態に係るＩＲＣ受信器における共分散行列の算出方法を説明するための図である。
【図４】本発明の第１の実施形態に係るＩＲＣ受信器における共分散行列の算出方法を説明するための図である。
【図５】本発明の第１の実施形態に係るＩＲＣ受信器における共分散行列の算出方法を説明するための図である。
【図６】本発明の第１の実施形態に係るＩＲＣ受信器における共分散行列の算出方法を説明するための図である。
【図７】従来技術について説明するための図である。
【図８】従来技術について説明するための図である。
【図９】従来技術について説明するための図である。
【図１０】従来技術について説明するための図である。
【図１１】従来技術について説明するための図である。
【発明を実施するための形態】
【００２４】
（本発明の第１の実施形態に係る移動通信システム）
図１乃至図６を参照して、本発明の第１の実施形態に係るＩＲＣ受信器１０について説明する。
【００２５】
図１に示すように、本実施形態に係るＩＲＣ受信器１０は、チャネル推定部１１と、共分散行列推定部１２と、共分散行列平均化部１３と、パラメータ平均化部１４と、０値挿入部１５と、共分散行列生成部１６と、制御信号復調部１７と、ＩＲＣ受信ウェイト生成部１８と、信号分離部１９と、復調部２０とを具備している。
【００２６】
チャネル推定部１１は、サービングセル（セル１）から受信したＣＲＳに基づいてチャネル推定処理を行うことによって、チャネル行列Ｈを推定（算出）するように構成されている。
【００２７】
共分散行列推定部１２は、データ信号に基づいて共分散行列ＲＩ＋Ｎを推定するように構成されている。具体的には、共分散行列推定部１２は、図１０（ｂ）に示す式を用いて、共分散行列ＲＩ＋Ｎを推定（算出）するように構成されている。
【００２８】
共分散行列推定部１２によって推定（算出）された共分散行列ＲＩ＋Ｎは、図２（ａ）に示すように、ＳＦＢＣペア内の偶数番目のリソースエレメントにおける所望信号成分からなる第１共分散行列ＲＩ＋Ｎ（２ｍ）及びＳＦＢＣペア内の奇数番目のリソースエレメントにおける所望信号成分からなる第２共分散行列ＲＩ＋Ｎ（２ｍ＋１）を含む。
【００２９】
ここで、ＳＦＢＣ方式が用いられている場合、理論上、ＲＩ＋Ｎ（２ｍ）＝Ｒ＊Ｉ＋Ｎ（２ｍ＋１）の関係が成立することが知られている。
【００３０】
かかる点を考慮して、共分散行列平均化部１３は、図２（ｂ）に示す式を用いて、第１共分散行列ＲＩ＋Ｎ（２ｍ）内の要素及び第２共分散行列ＲＩ＋Ｎ（２ｍ＋１）内の要素の各々に対する平均化処理を行うことによって、
【数１】
0005184691.tif 000002
【００３１】
を取得するように構成されている。
【００３２】
共分散行列生成部１６は、図２（ｃ）に示すように、共分散行列推定部１２によって推定（算出）された共分散行列ＲＩ＋Ｎに含まれている第１共分散行列ＲＩ＋Ｎ（２ｍ）内の要素及び第２共分散行列ＲＩ＋Ｎ（２ｍ＋１）内の要素の各々を、共分散行列平均化部１３から受信した
【数２】
0005184691.tif 000003
【００３３】
の要素に変更する処理（所定処理）を施すように構成されていてもよい。
【００３４】
図２（ｂ）に示す式を用いた平均化処理を行うことによって、共分散行列ＲＩ＋Ｎを推定する際の平均化処理に用いるサンプル数を２倍にしたことと同等の効果を得ることができ、データ信号に基づく共分散行列ＲＩ＋Ｎの推定精度を向上させることができる。
【００３５】
また、チャネル変動を無視した場合の共分散行列ＲＩ＋Ｎは、理論上、図３に示す式によって表される。ここで、図３に示すように、共分散行列ＲＩ＋Ｎ内の要素Ａは、チャネル変動を無視した際には、理論上「０」となることが知られている。
【００３６】
かかる点を考慮して、０値挿入部１５は、共分散行列生成部１６に対して、共分散行列推定部１２によって推定された図４（ａ）に示す共分散行列ＲＩ＋Ｎ内でチャネル変動を無視した際に理論上「０」となる要素Ａに対して「０」を挿入するように指示するように構成されている。
【００３７】
共分散行列生成部１６は、０値挿入部１５からの指示に応じて、図４（ｂ）に示すように、共分散行列推定部１２によって推定された図４（ａ）に示す共分散行列ＲＩ＋Ｎ内の要素Ａに対して「０」を挿入する処理（所定処理）を施すように構成されていてもよい。
【００３８】
図４（ｂ）に示す所定処理を行うことによって、すなわち、理論上「０」となる要素Ａに対して「０」を挿入することによって、計算量を低減しつつ、データ信号に基づく共分散行列ＲＩ＋Ｎの推定精度を向上させることができる。
【００３９】
また、図５（ａ）及び図５（ｂ）に示すように、共分散行列推定部１２によって推定された共分散行列ＲＩ＋Ｎ内の要素Ｂは、チャネル変動を無視した際には、理論上、１つのパラメータｘで表される。
【００４０】
かかる点を考慮して、パラメータ平均化部１４は、図５（ｃ）に示す式を用いて、上述の要素Ｂ同士で平均化処理を行うことによって、
【数３】
0005184691.tif 000004
【００４１】
を取得するように構成されている。
【００４２】
共分散行列生成部１６は、図５（ｄ）に示すように、共分散行列推定部１２によって推定（算出）された共分散行列ＲＩ＋Ｎに含まれている要素Ｂの各々を、パラメータ平均化部１４から受信した
【数４】
0005184691.tif 000005
【００４３】
に基づいて変更するように構成されていてもよい。
【００４４】
図５（ｃ）に示す式を用いた平均化処理を行うことによって、共分散行列ＲＩ＋Ｎを推定する際の平均化処理に用いるサンプル数を増やしたことと同等の効果を得ることができ、データ信号に基づく共分散行列ＲＩ＋Ｎの推定精度を向上させることができる。
【００４５】
或いは、共分散行列生成部１６は、図６（ｃ）に示すように、０値挿入部１５からの指示に応じて、共分散行列推定部１２によって推定（算出）された共分散行列ＲＩ＋Ｎに含まれている要素Ｂに対して「０」を挿入する処理（所定処理）を施すように構成されていてもよい。
【００４６】
図６（ｃ）に示す所定処理を行うことによって、すなわち、要素Ｂに対して「０」を挿入することによって、計算量を低減しつつ、データ信号に基づく共分散行列ＲＩ＋Ｎの推定精度を向上させることができる。
【００４７】
なお、共分散行列生成部１６は、図２（ｃ）に示す処理、図４（ｂ）に示す処理、図５（ｄ）に示す処理及び図６（ｃ）に示す処理のうちの２以上を組み合わせて行うように構成されていてもよい。
【００４８】
制御信号復調部１７は、サービングセル（セル１）から受信した制御信号に対する復調処理を行うように構成されている。
【００４９】
ＩＲＣ受信ウェイト生成部１８は、チャネル推定部１１から受信したチャネル行列Ｈ、制御信号復調部１５から受信した制御信号及び共分散行列生成部１６から受信した共分散行列ＲＩ＋Ｎ（所定処理が施されている共分散行列ＲＩ＋Ｎ）に基づいて、ＩＲＣ受信ウェイトＷＩＲＣを生成するように構成されている。
【００５０】
具体的には、ＩＲＣ受信ウェイト生成部１８は、図１０（ａ）に示す式に、チャネル推定部１１から受信したチャネル行列Ｈ及び共分散行列生成部１６から受信した共分散行列ＲＩ＋Ｎを代入することによって、ＩＲＣ受信ウェイトＷＩＲＣを生成するように構成されている。
【００５１】
信号分離部１９は、制御信号復調部１７から受信した制御信号及びＩＲＣ受信ウェイト生成部１８から受信したＩＲＣ受信ウェイトＷＩＲＣに基づいて、サービングセル（セル１）からの受信信号に対する信号分離処理を行うように構成されている。
【００５２】
復調部２０は、制御信号復調部１７から受信した制御信号及びＩＲＣ受信ウェイト生成部１８から受信したＩＲＣ受信ウェイトＷＩＲＣに基づいて、信号分離部１９から受信した信号に対する復調処理を行うことによって、データ信号を出力するように構成されている。
【００５３】
本実施形態に係るＩＲＣ受信器１０によれば、図２（ｃ）に示す処理、図４（ｂ）に示す処理、図５（ｄ）に示す処理及び図６（ｃ）に示す処理等を用いて、データ信号に基づく共分散行列ＲＩ＋Ｎの推定精度を向上させることができる。
【００５４】
上述の実施形態では、一例として、ＩＲＣ受信器１０のアンテナ数を「２」として説明したが、本発明は、ＩＲＣ受信器１０のアンテナ数に係わらず実施することが可能である。
【００５５】
以上に述べた本実施形態の特徴は、以下のように表現されていてもよい。
【００５６】
本実施形態の第１の特徴は、ＳＦＢＣ（周波数空間ブロック符号化）方式を用いて送信されたデータ信号及び制御信号を受信するように構成されているＩＲＣ受信器１０であって、データ信号に基づいて共分散行列ＲＩ＋Ｎを推定するように構成されている共分散行列推定部１２と、推定された共分散行列ＲＩ＋Ｎに対して所定処理を施すように構成されている共分散行列平均化部１３及び共分散行列生成部１６と、所定処理が施された共分散行列ＲＩ＋Ｎ及び制御信号を用いてＩＲＣ受信ウェイトＷＩＲＣを生成するように構成されているＩＲＣ受信ウェイト生成部１８と、生成されたＩＲＣ受信ウェイトＷＩＲＣ及び制御信号を用いて受信信号からデータ信号を分離するように構成されている信号分離部１９とを具備し、データ信号は、２つのリソースエレメントからなるＳＦＢＣペア（周波数空間ブロック符号化方式単位）で送信されるように構成されており、推定された共分散行列ＲＩ＋Ｎは、ＳＦＢＣペア内の偶数番目のリソースエレメントにおける所望信号成分からなる第１共分散行列ＲＩ＋Ｎ（２ｍ）及びＳＦＢＣペア内の奇数番目のリソースエレメントにおける所望信号成分からなる第２共分散行列ＲＩ＋Ｎ（２ｍ＋１）を含むように構成されており、共分散行列平均化部１３及び共分散行列生成部１６は、上述の所定処理として、第１共分散行列ＲＩ＋Ｎ（２ｍ）内の要素及び第２共分散行列ＲＩ＋Ｎ（２ｍ＋１）内の要素の各々に対する平均化処理を行うように構成されていることを要旨とする。
【００５７】
本実施形態の第２の特徴は、ＳＦＢＣ方式を用いて送信されたデータ信号及び制御信号を受信するように構成されているＩＲＣ受信器１０であって、データ信号に基づいて共分散行列ＲＩ＋Ｎを推定するように構成されている共分散行列推定部１２と、推定された共分散行列ＲＩ＋Ｎに対して所定処理を施すように構成されている０値挿入部１５及び共分散行列生成部１６と、所定処理が施された共分散行列ＲＩ＋Ｎ及び制御信号を用いてＩＲＣ受信ウェイトＷＩＲＣを生成するように構成されているＩＲＣ受信ウェイト生成部１８と、生成されたＩＲＣ受信ウェイトＷＩＲＣ及び制御信号を用いて受信信号からデータ信号を分離するように構成されている信号分離部１９とを具備し、０値挿入部１５及び共分散行列生成部１６は、上述の所定処理として、推定された共分散行列ＲＩ＋Ｎ内でチャネル変動を無視した際に理論上「０」となる要素Ａに対して「０」を挿入する処理を施すように構成されていることを要旨とする。
【００５８】
本実施形態の第３の特徴は、ＳＦＢＣ方式を用いて送信されたデータ信号及び制御信号を受信するように構成されているＩＲＣ受信器１０であって、データ信号に基づいて共分散行列ＲＩ＋Ｎを推定するように構成されている共分散行列推定部１２と、推定された共分散行列ＲＩ＋Ｎに対して所定処理を施すように構成されているパラメータ平均化部１４及び共分散行列生成部１６と、所定処理が施された共分散行列ＲＩ＋Ｎ及び制御信号を用いてＩＲＣ受信ウェイトＷＩＲＣを生成するように構成されているＩＲＣ受信ウェイト生成部１８と、生成されたＩＲＣ受信ウェイトＷＩＲＣ及び制御信号を用いて受信信号からデータ信号を分離するように構成されている信号分離部１９とを具備し、パラメータ平均化部１４及び共分散行列生成部１６は、上述の所定処理として、推定された共分散行列ＲＩ＋Ｎ内でチャネル変動を無視した際に理論上１つのパラメータｘで表される要素Ｂ同士で平均化処理を行うように構成されていることを要旨とする。
【００５９】
本実施形態の第４の特徴は、ＳＦＢＣ方式を用いて送信されたデータ信号及び制御信号を受信するように構成されているＩＲＣ受信器１０であって、データ信号に基づいて共分散行列ＲＩ＋Ｎを推定するように構成されている共分散行列推定部１２と、推定された共分散行列ＲＩ＋Ｎに対して所定処理を施すように構成されている０値挿入部１５及び共分散行列生成部１６と、所定処理が施された共分散行列ＲＩ＋Ｎ及び制御信号を用いてＩＲＣ受信ウェイトＷＩＲＣを生成するように構成されているＩＲＣ受信ウェイト生成部１８と、生成されたＩＲＣ受信ウェイトＷＩＲＣ及び制御信号を用いて受信信号からデータ信号を分離するように構成されている信号分離部１９とを具備し、０値挿入部１５及び共分散行列生成部１６は、上述の所定処理として、推定された共分散行列ＲＩ＋Ｎ内でチャネル変動を無視した際に理論上１つのパラメータｘで表される要素に対して「０」を挿入する処理を施すように構成されていることを要旨とする。
【００６０】
なお、上述のＩＲＣ受信器１０の動作は、ハードウェアによって実施されてもよいし、プロセッサによって実行されるソフトウェアモジュールによって実施されてもよいし、両者の組み合わせによって実施されてもよい。
【００６１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＩＲＣ受信器１０内に設けられていてもよい。また、かかる記憶媒体及びプロセッサは、ディスクリートコンポーネントとしてＩＲＣ受信器１０内に設けられていてもよい。
【００６３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６４】
１０…ＩＲＣ受信器
１１…チャネル推定部
１２…共分散行列推定部
１３…共分散行列平均化部
１４…パラメータ平均化部
１５…０値挿入部
１６…共分散行列生成部
１７…制御信号復調部
１８…ＩＲＣ受信ウェイト生成部
１９…信号分離部
２０…復調部
【要約】
【課題】データ信号に基づく共分散行列ＲＩ＋Ｎの推定精度を向上させる。
【解決手段】本発明に係るＩＲＣ受信器１０において、データ信号は、２つのリソースエレメントからなるＳＦＢＣペアで送信されるように構成されており、推定された共分散行列ＲＩ＋Ｎは、ＳＦＢＣペア内の偶数番目のリソースエレメントにおける所望信号成分からなる第１共分散行列ＲＩ＋Ｎ（２ｍ）及び該周波数空間ブロック符号化方式単位内の奇数番目のリソースエレメントにおける所望信号成分からなる第２共分散行列ＲＩ＋Ｎ（２ｍ＋１）を含むように構成されており、共分散行列平均化部１３及び共分散行列生成部１６は、上述の所定処理として、第１共分散行列ＲＩ＋Ｎ（２ｍ）内の要素及び第２共分散行列ＲＩ＋Ｎ（２ｍ＋１）内の要素の各々に対する平均化処理を行うように構成されている。
【選択図】図１【図１】
0005184691.tif 000006
【図２】
0005184691.tif 000007
【図３】
0005184691.tif 000008
【図４】
0005184691.tif 000009
【図５】
0005184691.tif 000010
【図６】
0005184691.tif 000011
【図７】
0005184691.tif 000012
【図８】
0005184691.tif 000013
【図９】
0005184691.tif 000014
【図１０】
0005184691.tif 000015
【図１１】
0005184691.tif 000016